(57)【特許請求の範囲】
【請求項１】
ＩＤタグが装着された金属製の飲料用樽容器において、
前記ＩＤタグは、飲料が収納される樽本体の底部に形成された突起部に互いの中心が略一致するように装着されていると共に上記樽本体の底部と反対側に位置する表面は平面形状に形成され、
前記樽本体の前記突起部には、前記ＩＤタグとの間で空間部を形成する凹状部が形成されていることを特徴とする飲料用樽容器。
【請求項２】
前記突起部は円筒状であり、前記凹状部は前記突起部の中央に形成されていることを特徴とする請求項１記載の飲料用樽容器。
【請求項３】
前記ＩＤタグは円柱状であり、前記突起部の中央に形成された前記凹状部と中心が略一致して固着されていることを特徴とする請求項１または２記載の飲料用樽容器。
【請求項４】
前記ＩＤタグのケースは容器と同色に着色されていることを特徴とする請求項１ないし３の何れかに記載の飲料用樽容器。
【請求項５】
前記ＩＤタグの平面状の表面にはＩＤタグが容器に固着された状態で充填年月日が印字されていることを特徴とする請求項１ないし４の何れかに記載の飲料用樽容器。
【発明の詳細な説明】
【０００１】
【発明の属する技術分野】
本発明は、飲料の鮮度などを管理するためのＩＤタグが装着された飲料用樽容器に関する。
【０００２】
【従来の技術】
例えばビール業界では、ビールを製造してからお客に販売するまでの流通期間の短縮を図るために、鮮度管理を行うようにしている。つまり、ビール樽容器にバーコードを貼付し、バーコードでビール樽容器を判別することによりビールの製造年月日を判断するようにしている。
【０００３】
ところが、バーコードには容器番号が付されるだけであることから、流通経路におけるビール樽容器の滞留を示すデータ収集は困難である。
そこで、データの書込みが容易なＩＤタグをビール樽容器に装着することが考えられている。つまり、ＩＤタグに流通経路における滞留情報を記憶することにより、滞留要因の分析を図ろうというものである。
【０００４】
【発明が解決しようとする課題】
しかしながら、例えばビール充填ラインにおいてビール樽容器に装着されたＩＤタグにビールの充填年月日を書込む場合、ビール注入口に装着されたビール樽容器の装着方向は不定であるので、ビール樽容器に装着されたＩＤタグの位置が不定となり、ＩＤタグ用リーダライタによりＩＤタグにビールの充填年月日の書込みを行うことができないという問題がある。
【０００５】
また、ＩＤタグをラベルとしても利用するために、ＩＤタグに充填年月日を印字する場合は、上述したようにＩＤタグの位置が不定となるので、ＩＤタグに製造年月日を印字することはできない。この場合、ＩＤタグの位置を一定とするにしても、ＩＤタグの表面が湾曲しているときは製造年月日の印字はできないことになる。
【０００６】
さらに、ＩＤタグがビール樽容器の外面に固着されている場合は、ＩＤタグをビール樽容器に強固に固着するにしても、ビール樽容器同士の衝突によりＩＤタグが衝撃で故障したり、不用意に剥れ落ちたりすることがあると共に、第３者に故意に剥されてしまう虞がある。
【０００７】
本発明は上記事情に鑑みてなされたもので、その目的は、ＩＤタグが装着された構成において、ＩＤタグが確実に動作すると共にＩＤタグへの印字が可能となる飲料用樽容器を提供することにある。
【０００８】
【課題を解決するための手段】
請求項１の発明によれば、ＩＤタグは、飲料用樽容器の樽本体の底部に形成された突起部に互いの中心が略一致するように装着されているので、飲料用樽容器が搬送ラインにより搬送される際は、ＩＤタグの通過軌跡は一定となる。従って、ＩＤタグの通過軌跡に対応してＩＤタグ用リーダライタを設置することにより、ＩＤタグと確実に通信することができる。
【０００９】
この場合、ＩＤタグの通過軌跡は一定である上に、ＩＤタグにおいて樽本体の底部と反対側表面は平面形状であるので、ＩＤタグに例えば製造年月日を確実に印字することができる。
【００１０】
また、ＩＤタグは飲料用樽容器の内部に収納されて外部から隠蔽された形態となっているので、飲料用樽容器同士が衝突するにしてもＩＤタグが故障したり、不用意に剥がれ落ちてしまったり、第３者に故意に剥されるといった事態が生じることを防止できる。
【００１１】
この場合、樽本体における突起部の表面にはＩＤタグとの間で空間部を形成する凹状部が形成されているので、ＩＤタグを樽本体の金属面から離間することができ、ＩＤタグが飲料用樽容器から受ける影響を低減することができる。
【００１３】
【発明の実施の形態】
以下、本発明をビール樽容器に適用した一実施の形態を図面を参照して説明する。
図１はビール樽容器を断面にして示している（但し、ビールの注入機構は省略している）。この図１において、ビール樽容器（飲料用樽容器に相当）１は、上部中央部に口栓２（図２参照）を有すると共に底部中央部に円筒状突起部３を有した樽本体４と、この樽本体４の上部に設けられ上端が口栓２よりも上方に突出すると共に取手部５ａを有した上部スカート部５と、樽本体４の下部に設けられ下端が円筒状突起部３よりも下方に突出した下部スカート部６とを有して構成されている。
【００１４】
ここで、上記ビール樽容器１の樽本体４の底部に形成された円筒状突起部３には円柱状のＩＤタグ７が互いの中心が略一致するように接着により固着されている（図３参照）。この場合、円筒状突起部３の中央には凹状部８が形成されており、ＩＤタグ７との間に空間部９が形成されている。このＩＤタグ７はタグの固有ナンバーが記憶されていると共に、製造工場、ビールの充填年月日、ビールの品種、鮮度の有効期間などのタグ情報が記憶されるようになっている。尚、ＩＤタグ７のケースは、目立たないようにビール樽容器１と同色に着色されている。
【００１５】
図４はＩＤタグ７の電気的構成を示している。この図４において、制御用ＩＣ１０は、ＭＰＵ（マイクロプロセッサユニット）１１の他、整流部１２、変復調部１３、メモリ部１４などを構成する半導体素子をワンチップ化したものである。
【００１６】
ここで、アンテナコイル１５は、共振用コンデンサ１６と並列に接続されて共振回路１７を構成しており、ＩＤタグ用リーダライタから所定の電力用磁気信号が送信されると、これを受信して整流部１２に供給する。整流部１２は、平滑部１８と共に動作用電源回路を構成するもので、共振回路１７から送信されてきた電力用磁気信号を整流して、平滑部１８で平滑することにより一定電圧の動作電力にしてＭＰＵ１１などに給電する。
【００１７】
この場合、アンテナコイル１５と共振用コンデンサ１６とからなる共振回路１７の共振周波数は、ＩＤタグ７がビール樽容器１に装着された状態において所定の適正周波数（ＩＤタグ用リーダライタの共振周波数）と一致するように調整されている。
【００１８】
図５はビール樽容器１へのビール充填ラインを示している。この図５において、ビール樽容器１はビール充填ライン１９に沿って搬送されるようになっている。この場合、ビール注入口（図示せず）はビール充填ライン１９の下側に位置して設けられており、ビール充填ライン１９を搬送されるビール樽容器１は、その搬送途中で口栓２が下側に位置するように倒立した状態で搬送されると共に、その倒立状態で下側に位置する口栓２からビールが注入されるようになっている。これは、ビール樽容器１としては、例えば１０リットルと２０リットルの容量のものが供されており、それらが混在してビール充填ライン１９を搬送されることから、ビール樽容器１の上側からビールを注入する場合には、ビール注入口をビール樽容器１の容量に応じた高さまで降下させたり、ビール樽容器１を口栓２がビール注入口に装着される位置まで上昇させる必要を生じ、ビール充填ライン１９の構成が複雑化するからである。この場合、ビール注入口に装着されたビール樽容器１は、上側からプッシャー（図示せず）により押圧されるようになっており、これによりビール樽容器１がビール注入口から外れてしまうことが防止されるようになっている。
【００１９】
尚、ビール樽容器１がビール充填ライン１９を搬送される際は、図示しないガイド手段によりビール樽容器１がビール充填ライン１９の中央を通過するようになっている。
【００２０】
ここで、ビール樽容器１を上側から押圧するプッシャにはＩＤタグ用リーダライタ２０が設けられている。また、ビール樽容器１の通過軌跡に対応して印字装置（図示せず）が設けられている。これらのＩＤタグ用リーダライタ２０及び印字装置は図示しないホストコンピュータにより制御されるようになっている。
【００２１】
次に上記構成の作用について説明する。
ビール充填ライン１９により搬送されてきたビール樽容器１は、その搬送途中で倒立されて口栓２が下側に位置した状態で搬送される。
【００２２】
このようにビール樽容器１が倒立した状態では、ビール樽容器１の底部が上側に位置するので、図５に示すようにビール樽容器１の底部の円筒状突起部３に固着されたＩＤタグ７が上側に位置するようになる。
【００２３】
そして、ビール樽容器１の下側に位置する口栓２がビール注入口に装着されると、プッシャによりビール樽容器１が上側から押圧されるようになる。このとき、プッシャに設けられたＩＤタグ用リーダライタ２０がＩＤタグ７と所定距離存して対向するようになるので、ＩＤタグ用リーダライタ２０から出力された電力用磁気信号がＩＤタグ７のアンテナコイル１５を通過するようになる。これにより、アンテナコイル１５に起電力が生じ、制御用ＩＣ１０に動作電力が給電されるようになるので、ＩＤタグ７が動作開始するようになる。
【００２４】
ここで、ＩＤタグ７はビール樽容器１の樽本体４に形成された円筒状突起部３に互いの中心が略一致するように装着されているので、ビール注入口に装着されたビール樽容器１の装着方向が不定であるにしても、ＩＤタグ用リーダライタ２０の正面にＩＤタグ７の中心が位置するようになる。
【００２５】
このとき、ＩＤタグ７の共振周波数は、ビール樽容器１に装着されることによりＩＤタグ７単体における共振周波数からずれてしまうものの、予めずれを見込んでＩＤタグ７の共振周波数は設定されているので、ビール樽容器１の装着状態では所定の最適周波数となっている。
【００２６】
また、ＩＤタグ７の樽本体４側には空間部９が形成されており、ＩＤタグ７は樽本体４から離間して位置しているので、ＩＤタグ用リーダライタ２０からの電力用磁気信号は効率よくＩＤタグ７を鎖交することができ、ＩＤタグ７がビール樽容器１の金属面から受ける影響を低減することができる。
【００２７】
従って、ビール樽容器１に装着されたＩＤタグ７の共振周波数をＩＤタグ用リーダライタ２０の共振周波数に一致させることができると共に、ＩＤタグ用リーダライタ２０からの電力用磁気信号をＩＤタグ７に効率よく鎖交させることができるので、ＩＤタグ７はＩＤタグ用リーダライタ２０からの電力用磁気信号を効率よく受信することができ、アンテナコイル１５の起電力が低下してしまうことを防止できる。
【００２８】
そして、上述したようにしてＩＤタグ７との通信が可能となったＩＤタグ用リーダライタ２０は、ＩＤタグ７からタグＮＯ．を読取ると共に、製造工場、充填年月日、ビールの品種、鮮度の有効期間などをＩＤタグ７に書込む。
【００２９】
続いて、ビール樽容器１に対するビールの充填が終了したときは、図示しない印字装置によりＩＤタグ７の表面にビールの充填年月日を印字する。
以上のようにしてビール樽容器１にビールが充填され、充填が終了したビール樽容器１は流通経路を経て客先に出荷される。
【００３０】
流通経路においては、ビール樽容器１に装着されているＩＤタグ７からタグ情報を読取ることによりビールの充填年月日を知ることができると共に、ＩＤタグ７に流通経路及び日時を示すタグ情報を記憶する。
【００３１】
そして、ビール製造工場にビール樽容器１を回収したときは、ＩＤタグ７からタグ情報を読取ってホストコンピュータに送信することにより、ホストコンピュータにおいて、滞留情報を一元管理して流通経路の滞留要因を分析することができる。従って、流通期間の短縮を図ることにより、ビールの品質保証体制を構築することができる。
【００３２】
ところで、流通途中のビール樽容器１にあっては、図２に示すように口栓２が上側に位置しており、ＩＤタグ７は下部スカート部６内に外部から隠蔽された形態となっているので、ビール樽容器１を搬送する際に、ビール樽容器１同士が衝突するにしても、ＩＤタグ７が衝撃により故障したり、不用意に剥れ落ちることはない。また、一般の人が一見しただけではＩＤタグ７の存在を認知することはできないので、ＩＤタグ７がビール樽容器１から第３者により故意に剥されてしまうという危険性を低減することができる。
【００３３】
このような実施の形態によれば、ＩＤタグ７をビール樽容器１の樽本体４の底部に形成された円筒状突起部３に互いの中心が略一致するように固着するようにしたので、ＩＤタグ７をビール樽容器１の中心に位置させることができ、ビール注入口に装着されたビール樽容器１の装着方向が不定であるにしても、ＩＤタグ用リーダライタ２０はＩＤタグ７と確実に通信することができる。
【００３４】
しかも、ビール充填ライン１９においてはビール樽容器１の樽本体４の底部に装着されたＩＤタグ７は上側に位置すると共に、その通過軌跡は一定し、さらにＩＤタグ７において樽本体４と反対側表面は平面形状となっているので、ビール注入口に装着されたビール樽容器１の装着方向が不定であるにしても、印字装置によりＩＤタグ７に充填年月日を確実に印字することができる。
【００３５】
また、樽本体４の円筒状突起部３の中央に凹状部８を形成することによりＩＤタグ７と樽本体４との間に空間部９を形成するようにしたので、ＩＤタグ７は金属面から大きく離間するようになり、ＩＤタグ７がビール樽容器１の金属面により受ける影響を回避することができる。
【００３６】
さらに、ＩＤタグ７の共振周波数は、ビール樽容器１への装着状態で所定の適正周波数となるように予め設定されているので、ＩＤタグ７がビール樽容器１に装着されることにより共振周波数がＩＤタグ７単体での共振周波数からずれるにしても、適正周波数に近付く方向にずれ、ＩＤタグ７のアンテナコイル１５の起電力が低下してしまうことはない。
【００３７】
本発明は、上記実施の形態に限定されることはなく、次のように変形または拡張できる。
ＩＤタグ７の形状としては、円筒状に代えて、四角形状、多角形状のものを用いるようにしてもよい。
ＩＤタグ７をビール樽容器１の樽本体４の円筒状突起部３内に埋設するようにしてもよい。
【００３８】
ＩＤタグ７のアンテナコイルに強磁性体を挿入することにより、樽本体の金属による影響を低減するようにしてもよい。
炭酸飲料用樽容器或いはジュースの樽容器または液状の経口薬品の樽容器に適用するようにしてもよい。
【図面の簡単な説明】
【図１】本発明の一実施の形態を示すビール樽容器の断面図
【図２】ビール樽容器の斜視図
【図３】ビール樽容器の底面図
【図４】ＩＤタグの電気回路図
【図５】ビール充填ラインの斜視図
【符号の説明】
１はビール樽容器（飲料用樽容器）、３は円筒状突起部、４は樽本体、７はＩＤタグ、８は凹状部、９は空間部、２０はＩＤタグ用リーダライタである。
【図１】
0003623695.tif 000002
【図２】
0003623695.tif 000003
【図３】
0003623695.tif 000004
【図４】
0003623695.tif 000005
【図５】
0003623695.tif 000006